(57)【要約】      （修正有）【課題】釣り用リールの往復移動機構において、製造コストを抑える機構の提供。【解決手段】往復移動機構５は、第１回転体２１と、第２回転体２２と、回転伝達体２３と、移動体２６と、を備える。第１回転体２１は、スプール軸方向に直交する方向に延びる第１軸心Ａ回りに回転する。第２回転体２２は、第１回転体２１とスプール軸方向に間隔を隔てて配置され、第１軸心Ａと平行な第２軸心Ｂ回りに回転する。回転伝達体２３は、第１回転体２１及び第２回転体２２に架け渡され、ハンドルの回転に伴って循環する。移動体２６は、一部が回転伝達体２３に係合し、回転伝達体２３の循環に伴ってスプール軸２とともにスプール軸方向に往復移動する。第１軸心Ａに沿った方向から見て、第１軸心Ａと第２軸心Ｂとを結ぶ直線は、スプール軸２の軸心Ｏに対して傾斜している。【選択図】図２
2019004812.tif 000002
【特許請求の範囲】
【請求項１】
ハンドルの回転に伴いスプール軸を前記スプール軸が延びるスプール軸方向に往復移動させる釣り用リールの往復移動機構であって、
前記スプール軸方向に直交する方向に延びる第１軸心回りに回転する第１回転体と、
前記第１回転体と前記スプール軸方向に間隔を隔てて配置され、前記第１軸心と平行な第２軸心回りに回転する第２回転体と、
前記第１回転体及び前記第２回転体に架け渡され、前記ハンドルの回転に伴って循環する回転伝達体と、
一部が前記回転伝達体に係合し、前記回転伝達体の循環に伴って前記スプール軸とともに前記スプール軸方向に往復移動する移動体と、
を備え、
前記第１軸心に沿った方向から見たとき、前記第１軸心と前記第２軸心とを結ぶ直線は、前記スプール軸の軸心に対して傾斜している、
釣り用リールの往復移動機構。
【請求項２】
前記第２軸心は、前記第１軸心よりも前記スプール軸方向後方に位置し、前記スプール軸方向から見たとき、前記第２軸心が前記第１軸心よりも下側に位置する、
請求項１に記載の釣り用リールの往復移動機構。
【請求項３】
前記回転伝達体に固定され、前記回転伝達体とともに循環する係合体をさらに備え、
前記移動体は、前記スプール軸に交差する方向に延び、前記係合体が係合する案内溝を有し、
前記係合体は、前記回転伝達体の循環及び前記移動体の往復移動に伴って前記案内溝内を移動する、
請求項１又は２に記載の釣り用リールの往復移動機構。
【請求項４】
前記案内溝は少なくとも１つの傾斜部を有する、
請求項３に記載の釣り用リールの往復移動機構。
【請求項５】
前記案内溝は少なくとも１つの直線部を有する、
請求項３又は４に記載の釣り用リールの往復移動機構。
【請求項６】
前記案内溝は、両端に前記直線部を有し、
前記直線部は、前記スプール軸方向において互いにオフセットして配置された、
請求項５に記載の釣り用リールの往復移動機構。
【発明の詳細な説明】
【技術分野】
【０００１】
本発明は、釣り用リールの往復移動機構、特にハンドルの回転に伴いスプール軸をスプール軸が延びるスプール軸方向に往復移動させる釣り用リールの往復移動機構に関する。
【背景技術】
【０００２】
釣り用リールにおいて、スプールに釣り糸を均一に巻き付けるための往復移動機構を備えたものがよく知られている。例えば、スピニングリールの往復移動機構では、スプール軸及びスプール軸に固定されたスプールが、ハンドルの回転に伴いスプール軸が延びるスプール軸方向に往復移動することで、スプールに釣り糸が均一に巻き付けられる。
【０００３】
例えば、特許文献１の往復移動機構は、第１回転体と、第２回転体と、回転伝達体と、移動体と、を備えている。第１回転体は、ハンドルの回転に連動して回転する。第２回転体は、第１回転体と間隔を隔てて配置されている。回転伝達体は、第１回転体の回転を第２回転体に伝達する。移動体は、回転伝達体と係合して、回転伝達体の作動に伴いスプール軸方向に往復移動する。
【先行技術文献】
【特許文献】
【０００４】
【特許文献１】特開２０１６−２２０２６１号公報
【発明の概要】
【発明が解決しようとする課題】
【０００５】
ところで、移動体のスプール軸方向の移動量、すなわちスプールのストローク量は、スプールの大きさや形状に合わせて最適なストローク量が個別に設定されている。特許文献１の往復移動機構では、第１回転体と第２回転体とのスプール軸方向の間隔を調整することによって、スプールのストローク量が設定される。この場合、設定されるスプールのストローク量に対応した周長の回転伝達体を個別に製造する必要があり、往復移動機構の製造コストが増大するおそれがある。
【０００６】
本発明の課題は、釣り用リールの往復移動機構において、製造コストを抑えることにある。
【課題を解決するための手段】
【０００７】
本発明の一側面に係る往復移動機構は、ハンドルの回転に伴いスプール軸をスプール軸が延びるスプール軸方向に往復移動させるものであって、第１回転体と、第２回転体と、回転伝達体と、移動体と、を備えている。第１回転体は、スプール軸方向に直交する方向に延びる第１軸心回りに回転する。第２回転体は、第１回転体とスプール軸方向に間隔を隔てて配置され、第１軸心と平行な第２軸心回りに回転する。回転伝達体は、第１回転体及び第２回転体に架け渡され、ハンドルの回転に伴って循環する。移動体は、一部が回転伝達体に係合し、回転伝達体の循環に伴ってスプール軸とともにスプール軸方向に往復移動する。第１軸心に沿った方向から見たとき、第１軸心と第２軸心とを結ぶ直線は、スプール軸の軸心に対して傾斜している。
【０００８】
この往復移動機構では、第１軸心と第２軸心とを結ぶ直線がスプール軸の軸心に対して傾斜しているため、第１回転体と第２回転体とに掛け渡された回転伝達体がスプール軸に対して傾斜して配置される。このため、回転伝達体をスプール軸方向に沿って配置した場合と比べて、回転伝達体とともに循環する係合体のスプール軸方向の移動量が短くなる。すなわち、第１軸心と第２軸心とを結ぶ直線のスプール軸に対する傾斜角度を変えることにより、回転伝達体の周長を変えることなく、スプール軸のいわゆるストローク量を調整することができる。従って、ストローク量が異なる釣り用リールにおいて、ストローク量に合わせて個別に回転伝達体を製造する必要がなくなり、往復移動機構の製造コストを抑えることができる。
【０００９】
好ましくは、回転伝達体に固定され、回転伝達体とともに循環する係合体をさらに備え、移動体は、スプール軸に交差する方向に延び、係合体が係合する案内溝を有し、係合体は、回転伝達体の循環及び移動体の往復移動に伴って案内溝内を移動する。この場合は、回転伝達体と移動体とを係合する係合体によって、移動体を確実にスプール軸方向に往復移動させることができる。
【００１０】
好ましくは、第２軸心は、第１軸心よりもスプール軸方向後方に位置し、スプール軸方向から見たとき、第２軸心が第１軸心よりも下側に位置する。
【００１１】
好ましくは、案内溝は少なくとも１つの傾斜部を有している。この場合は、係合体の循環を傾斜部で案内することで、第１回転体及び第２回転体の回転速度に対する移動体のスプール軸方向の移動速度を早く、もしくは遅くすることができる。これにより、釣り糸を巻き取るときの巻き取りピッチを変化させることができるため、最適な糸巻き形状を得ることができる。
【００１２】
好ましくは、案内溝は少なくとも１つの直線部を有している。
【００１３】
好ましくは、両端に直線部を有し、直線部は、スプール軸方向において互いにオフセットして配置されている。この場合は、係合体のスプール軸方向の移動量よりも、移動体のスプール軸方向の移動量が短くなるため、スプールのストローク量を短くすることができる。
【発明の効果】
【００１４】
本発明によれば、釣り用リールの往復移動機構において、製造コストを抑えることができる。
【図面の簡単な説明】
【００１５】
【図１】本発明の一実施形態が採用されたスピニングリールの縦断面図。
【図２】往復移動機構の拡大図。
【図３】係合体と移動体とのストローク量を比較した示した図。
【図４】案内溝のオフセット量と傾斜開始位置の関係を示した図。
【図５】他の実施形態に係る図２に相当する図。
【図６】他の実施形態に係る図２に相当する図。
【発明を実施するための形態】
【００１６】
［釣り用リールの全体構成］
図１は、本発明の一実施形態が採用されたスピニングリール１００（釣り用リールの一例）の縦断面図である。スピニングリール１００は、リール本体１と、スプール軸２と、スプール３と、ロータ駆動機構４と、往復移動機構５と、を備えている。なお、以下の説明において、前後とは、釣りを行うときに、釣糸が送り出される方向を前、その反対方向を後という。具体的には、図１おいて左側を前、右側を後と規定して説明する。また、上下とは、リール本体１を釣り竿に装着したときの、釣り竿が装着される側を上、その反対側を下という。具体的には、図１において上側を上、下側を下と規定して説明する。また、スプール軸２が延びる方向をスプール軸方向、駆動軸１１が延びる方向を駆動軸方向、とそれぞれ規定して説明する。
【００１７】
リール本体１は、内部空間を有しており、内部空間には、ロータ駆動機構４やスプール３に釣り糸を均一に巻き付ける往復移動機構５などが収容されている。リール本体１の側部には、ハンドル６がリール本体１に対して回転可能に装着されている。
【００１８】
スプール軸２は、前後方向に延びて形成され、スプール軸方向に移動可能にリール本体１に支持されている。
【００１９】
スプール３は、外周に釣り糸が巻き付けられる部材である。スプール３は、スプール軸２の先端に螺合するつまみ部材７によってスプール軸２に固定されている。スプール３は、ハンドル６の回転に伴い、ロータ駆動機構４を介してスプール軸２とともにリール本体１をスプール軸方向に往復移動する。
【００２０】
［ロータ駆動機構４］
ロータ駆動機構４は、ハンドル６の回転をロータ８に伝達する機構であり、ハンドル６の回転に連動してロータ８が回転する。ロータ８は、スプール３に釣り糸を巻き付けるための部材であり、リール本体１に回転可能に支持されている。ロータ駆動機構４は、駆動軸１１と、駆動ギア１２と、ピニオンギア１３と、を有している。
【００２１】
駆動軸１１は、ハンドル６が一体回転可能に連結されており、ハンドル６の回転に連動して回転する。駆動軸１１は、スプール軸方向と直交する方向に延びており、リール本体１に回転可能に支持されている。駆動軸１１には、後述する第１ギア２４ａが一体回転可能に装着されている。
【００２２】
駆動ギア１２は、フェースギアであり、駆動軸１１と一体回転する。ピニオンギア１３は、駆動ギア１２に噛み合う筒状のギアである。ピニオンギア１３は、リール本体１に回転可能に支持され、内周部をスプール軸２が貫通している。ピニオンギア１３には、ロータ８が一体回転可能に連結されている。
【００２３】
［往復移動機構５］
往復移動機構５は、ハンドル６の回転に伴いスプール軸２をスプール軸方向に往復移動させる機構である。往復移動機構５及びロータ駆動機構４によってスプール３に釣り糸が均一に巻き付けられる。往復移動機構５は、図２に拡大して示すように、第１回転体２１と、第２回転体２２と、回転伝達体２３と、回転伝達機構２４と、係合体２５と、移動体２６と、を有している。第１回転体２１、第２回転体２２、及び回転伝達体２３は、リール本体１の内部空間に配置されたハウジング２０内に収容されている。
【００２４】
ハウジング２０は、第１支持孔部２０ａと、第２支持孔部２０ｂと、案内孔部２０ｃと、を有している。第１支持孔部２０ａ及び第２支持孔部２０ｂは、ハウジング２０を駆動軸方向に貫通して形成されている。案内孔部２０ｃは、回転伝達体２３と間隔を隔てて回転伝達体２３の外周に沿うようにして形成されている。
【００２５】
［第１回転体２１］
第１回転体２１は、第１支持孔部２０ａに回転可能に支持された第１軸３１に一体回転可能に連結されている。第１軸３１は、駆動軸方向に延びており、第１回転体２１は、第１軸３１の第１軸心Ａ回りに回転する。第１回転体２１の外周部には、複数の第１歯部２１ａが周方向に間隔を隔てて形成されている。
【００２６】
［第２回転体２２］
第２回転体２２は、第１回転体２１とスプール軸方向に間隔を隔てて配置されている。第２回転体２２は、第１回転体２１よりもスプール軸方向の後方に配置されている。第２回転体２２の外径は、第１回転体２１と略同径である。
【００２７】
第２回転体２２は、第２支持孔部２０ｂに回転可能に支持された第２軸３２に一体回転可能に連結されている。第２軸３２は、駆動軸方向に延びており、第２回転体２２は、第２軸３２の第２軸心Ｂ回りに回転する。第２回転体２２の外周部には、複数の第２歯部２２ａが周方向に間隔を隔てて形成されている。
【００２８】
第２軸心Ｂは、第１軸心Ａと平行な軸心である。本実施形態において第２軸心Ｂは、第１軸心Ａよりもスプール軸方向の後方かつ第１軸心Ａよりも下側に配置されている。このため、第１軸心Ａに沿った方向から見たとき、第１軸心Ａと第２軸心Ｂとを結ぶ直線Ｌは、スプール軸２の軸心Ｏに対して傾斜している。詳細には、第１軸心Ａと第２軸心Ｂとを結ぶ直線Ｌは、スプール軸２の軸心Ｏに対してリール本体１の後方に近づくに従ってリール本体１の下方に近づく方向に傾斜している。本実施形態では、直線Ｌとスプール軸２の軸心Ｏとのなす角度である傾斜角度αは、略２７．５度である。なお、本実施形態において、第１軸心Ａに沿った方向とは、駆動軸方向と実質的に同じ方向である。
【００２９】
［回転伝達体２３］
回転伝達体２３は、環状のベルト部材であり、第１回転体２１及び第２回転体２２に掛け渡されている。回転伝達体２３は、第１回転体２１の回転を第２回転体２２に伝達する。回転伝達体２３の内周部には、第１回転体２１の複数の第１歯部２１ａ及び第２回転体２２の複数の第２歯部２２ａに噛み合う係合歯２３ａが形成されている。これにより、ハンドル６の回転に伴って、回転伝達体２３が第１回転体２１及び第２回転体２２回りを循環する。回転伝達体２３は、駆動軸方向から見たとき、リール本体１の後方に近づくに従ってリール本体１の下方に近づく方向に傾斜している。
【００３０】
［回転伝達機構２４］
回転伝達機構２４は、ハンドル６の回転を第１回転体２１に伝達する。回転伝達機構２４は、第１ギア２４ａと、第２ギア２４ｂと、第３ギア２４ｃと、を有している。第１ギア２４ａは、駆動軸１１に一体回転可能に装着されている。第２ギア２４ｂは、リール本体１に片持ち支持された支持軸３３に回転可能に装着されている。第２ギア２４ｂは、第１ギア２４ａに噛み合う。第３ギア２４ｃは、第１軸３１に一体回転可能に装着され、第２ギア２４ｂに噛み合う。ハンドル６の回転が回転伝達機構２４によって第１ギア２４ａから第２ギア２４ｂを介して第３ギア２４ｃに伝達されると、第３ギア２４ｃの回転に伴って第１軸３１に連結された第１回転体２１が回転する。
【００３１】
なお、本実施形態では、図２において、ハンドル６を釣り糸巻き取り方向に回転させたとき、駆動軸１１が反時計回りに回転するため、駆動軸１１に一体回転可能に装着された第１ギア２４ａも反時計回りに回転する。すなわち、釣り糸巻き取り時には、回転伝達機構２４によって第１回転体２１が反時計回りに回転するため、回転伝達体２３は反時計回りに循環する。
【００３２】
［係合体２５］
係合体２５は、駆動軸方向に延びた円柱状のピン部材であり、回転伝達体２３に固定されて、回転伝達体２３とともに循環する。詳細には、係合体２５は、一端部が回転伝達体２３の１対の凸部２３ｂの間に接着等の固定手段によって固定されている。係合体２５の他端部は、ハウジング２０の案内孔部２０ｃと後述する移動体２６の案内溝２７とを挿通している。これにより、係合体２５は、回転伝達体２３の循環及び移動体２６の往復移動に伴って案内孔部２０ｃ及び案内溝２７内を移動する。
【００３３】
［移動体２６］
移動体２６は、一部が回転伝達体２３に係合し、回転伝達体２３の循環に伴ってスプール軸２とともにスプール軸方向に往復移動する。移動体２６は、本体部２６ａと、軸装着部２６ｂと、案内溝２７と、を有している。本体部２６ａは、スプール軸２と交差する方向に延びて形成されている。本実施形態において本体部２６ａは、リール本体１に対して上下方向に延びて形成されている。軸装着部２６ｂは、本体部２６ａの下端部に設けられている。軸装着部２６ｂには、ねじ等の固定部材によってスプール軸２が回転不能に装着されている。本体部２６ａの上端部には、スプール軸２に対して平行に配置されたガイド軸３４が挿通している。ガイド軸３４は、移動体２６をスプール軸方向に移動可能に支持している。
【００３４】
案内溝２７は、本体部２６ａを駆動軸方向に貫通するとともに、スプール軸２に交差する方向に延びて形成されている。本実施形態において案内溝２７は、リール本体１に対して上下方向に延びて形成されている。案内溝２７には、回転伝達体２３とともに循環する係合体２５が係合する。係合体２５が回転伝達体２３とともに循環するとき、係合体２５は案内溝２７に沿って案内溝２７内を移動する。これにより、移動体２６は、係合体２５の循環に伴ってスプール軸方向に往復移動する。
【００３５】
案内溝２７は、少なくとも１つの直線部２７ａを有している。本実施形態では、図３に示すように、案内溝２７の両端に直線部２７ａを有し、直線部２７ａはスプール軸方向において互いにオフセットして配置されている。本実施形態では、案内溝２７の上端側よりも下端側の直線部２７ａがリール本体１の後方に配置されている。なお、図３では、図面を見やすくするために、ハウジング２０や回転伝達機構２４等の構成を省いている。
【００３６】
案内溝２７は、少なくとも１つの傾斜部２７ｂをさらに有している。本実施形態では、傾斜部２７ｂは、案内溝２７の中間部に形成されている。傾斜部２７ｂは、駆動軸方向から見たとき、直線部２７ａに対して傾斜して形成されている。詳細には、傾斜部２７ｂは、リール本体１の後方に近づくに従ってリール本体１の下方に近づく方向に傾斜して形成されている。なお、直線部２７ａと傾斜部２７ｂとは、係合体２５の移動を滑らかに案内するために、滑らかな曲線で接続されている。
【００３７】
［往復移動機構５の動作］
次に、往復移動機構５の動作について説明する。ハンドル６が回転操作されると、ハンドル６に連結された駆動軸１１が回転する。駆動軸１１が回転すると、駆動軸１１に一体回転可能に装着された第１ギア２４ａが回転する。第１ギア２４ａの回転が回転伝達機構２４によって、第２ギア２４ｂ、第３ギア２４ｃへと伝達される。そして、第３ギア２４ｃの回転に伴って第１軸３１に連結された第１回転体２１が回転する。第１回転体２１の回転が回転伝達体２３によって第２回転体２２に伝達され、回転伝達体２３が循環する。そして、回転伝達体２３とともに循環する係合体２５が、案内溝２７に沿って案内溝２７内を移動することで、移動体２６とともに移動体２６に固定されたスプール軸２がスプール軸方向に往復移動する。
【００３８】
既に説明したように、本実施形態では、駆動軸方向（第１軸心Ａに沿った方向）から見たとき、第１軸心Ａと第２軸心Ｂとを結ぶ直線Ｌがスプール軸２の軸心Ｏに対して傾斜しているため、第１回転体２１と第２回転体２２とに掛け渡された回転伝達体２３も、スプール軸２に対して傾斜してリール本体１に配置されている。これにより、第１軸３１と第２軸３２とをスプール軸方向に沿って配置した場合と比べて、すなわち回転伝達体２３をスプール軸方向に沿って配置した場合と比べて、回転伝達体２３とともに循環する係合体２５のスプール軸方向の移動量（以下、ストローク量と記す）が短くなる。このため、回転伝達体２３の周長を変えることなく、スプール軸２のストローク量を調整することができる。すなわち、第１軸心Ａと第２軸心Ｂとを結ぶ直線Ｌとスプール軸２の軸心Ｏとのなす角度である傾斜角度αを、リール本体１やスプール３の形状等に合わせて調整することで、回転伝達体２３の周長を変えることなく、スプール軸２のストローク量を調整することができる。例えば、図５及び図６に示すように、傾斜角度αを図２よりも大きくした場合は、回転伝達体２３の周長を変えることなく、スプール軸２のストローク量をさらに短く設定することができる。
【００３９】
また、図３に示すように、案内溝２７の両端の直線部２７ａは、スプール軸方向において互いにオフセットして配置されているため、係合体２５のストローク量Ｓ１よりもスプール軸２のストローク量Ｓ２が短くなる。このように、回転伝達体２３をスプール軸２に対して傾斜して配置するときに、案内溝２７の両端の直線部２７ａをオフセットして配置することで、スプール軸２のストローク量を調整することができる。
【００４０】
なお、案内溝２７の両端の直線部２７ａをオフセットして傾斜部２７ｂを傾斜させるとき、図４に示すオフセット量Ｗ及び傾斜部２７ｂの傾斜開始位置Ｈの設定によっては、係合体２５の循環が案内溝２７によって妨げられる場合がある。そこで、係合体２５の回転半径（係合体２５の中心から第２軸心Ｂまでの距離）をＲ、係合体２５の初期座標を（０，０）とした場合、初期座標と初期座標から第２軸心Ｂを中心として係合体２５が角度θ回転した時の係合体２５の座標（Ｒ（１−ｃｏｓθ），Ｒｓｉｎθ）とを結ぶ直線とＹ軸とのなす角度βよりも、傾斜部２７ｂとＹ軸とのなす角度γが小さくなるようにオフセット量Ｗ及び傾斜開始位置Ｈを定めることが好ましい。このようにオフセット量Ｗ及び傾斜部２７ｂの傾斜開始位置Ｈを設定することで、係合体２５の循環が案内溝２７によって妨げられることがない。
【００４１】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【００４２】
（ａ）案内溝２７の形状は前記実施形態に限定されるものでない。スプール３の形状等に合わせて、案内溝２７の形状を適宜変更してもよい。案内溝２７の形状によっては、釣り糸を巻き取るときの巻き取りピッチを変化させることができるため、最適な糸巻き形状を得ることができる。例えば、図５に示すように、案内溝１２７を駆動軸方向から見たとき、略Ｓ字状に形成してもよい。この場合は、第１回転体２１及び第２回転体２２の回転角度に対する移動体２６のスプール軸方向の移動速度を早くすることができる。なお、案内溝を少なくとも１つの直線部２７ａのみ、又は少なくとも１つの傾斜部２７ｂのみで構成してもよい。
【００４３】
もしくは、図６に示すように、案内溝２２７の両端を、傾斜部２２７ｂと同じ方向に傾斜させてもよい。この場合は、第１回転体２１及び第２回転体２２の回転角度に対する移動体２６のスプール軸方向の移動速度を遅くすることができる。
【００４４】
前記実施形態では、回転伝達機構２４に第２ギア２４ｂを設けていたが、必ずしも第２ギア２４ｂを設ける必要はない。第１ギア２４ａに噛み合う位置に第３ギア２４ｃを配置できる場合は、第２ギア２４ｂを設けずに、第１ギア２４ａの回転を第３ギア２４ｃに直接伝達するように構成してもよい。また、図５及び図６に示すように、第２ギア１２４ｂ，２２４ｂの位置を、回転伝達体２３の傾斜角度等によって適宜変更して配置してもよい。
【００４５】
（ｂ）前記実施形態では、第１軸心Ａと第２軸心Ｂとを結ぶ直線Ｌがリール本体１の後方に近づくに従ってリール本体１の下方に近づく方向に傾斜していたが、リール本体１の形状によっては、第１軸心Ａと第２軸心Ｂとを結ぶ直線Ｌを、リール本体１の後方に近づくに従ってリール本体１の上方に近づく方向に傾斜させてもよい。
【符号の説明】
【００４６】
２  スプール軸
５  往復移動機構
６  ハンドル
２１  第１回転体
２２  第２回転体
２３  回転伝達体
２５  係合体
２６  移動体
２７，１２７，２２７  案内溝
２７ａ  直線部
２７ｂ，２２７ｂ  傾斜部
１００  スピニングリール（釣り用リールの一例）
Ａ  第１軸心
Ｂ  第２軸心
Ｏ  スプール軸の軸心
【図１】
2019004812.tif 000003
【図２】
2019004812.tif 000004
【図３】
2019004812.tif 000005
【図４】
2019004812.tif 000006
【図５】
2019004812.tif 000007
【図６】
2019004812.tif 000008